(57)【要約】      （修正有）【課題】卓上が整えられて見た目が良い延長コードハウジングの立設構造を提供する。【解決手段】延長コードハウジングの立設構造は、延長コードのハウジング１及び支持フレーム２を備える。ハウジング１は、互いに表裏の関係にある２つの第１の表面１１，１２と、互いに表裏の関係にある２つの第２の表面１３，１４とを有する。２つの第１の表面及び２つの第２の表面により延長コードのハウジングが画成される。一方の第２の表面１３上には、２口以上の電源プラグ受け１５が設けられる。他方の第２の表面１４の縁部には、周辺に沿って支持フレームへの嵌入溝１６が形成される。支持フレーム２は、底板２１と、底板の一辺に接続された支持板２２とを含む。底板は、平面上に平貼りされる。支持板は、上方へ延びた立設状態を呈する。支持板と底板とにより夾角が形成される。【選択図】図１
0003206732.tif 000002
【実用新案登録請求の範囲】
【請求項１】
延長コードのハウジング及び支持フレームを備えた延長コードハウジングの立設構造であって、
前記延長コードのハウジングは、互いに表裏の関係にある２つの第１の表面と、互いに表裏の関係にある２つの第２の表面とを有し、前記２つの第１の表面及び前記２つの第２の表面により前記延長コードのハウジングが画成され、一方の前記第２の表面上には、２口以上の電源プラグ受けが設けられ、前記２つの第１の表面に隣り合う他方の前記第２の表面の縁部には、周辺に沿って嵌入溝が形成され、
前記支持フレームは、底板と、前記底板の一辺に接続された支持板と、を含み、前記底板は、平面上に平貼りされ、前記支持板は、上方へ延びた立設状態を呈し、前記支持板と前記底板とにより夾角が形成され、前記延長コードのハウジングが取り付けられる前記支持板の一面には、前記嵌入溝に対応する突合せ部が上下に設けられ、
前記延長コードのハウジングの２つの前記嵌入溝中には、前記上下に設けられた突合せ部がそれぞれ嵌入され、前記支持フレームに前記延長コードの前記ハウジングが結合され、前記支持フレームにより前記延長コードの前記ハウジングが支持され、前記延長コードのハウジングが有する前記電源プラグ受けの前記一方の第２の表面の背面は、前記支持フレームの前記支持板と背中合わせにされ、横方向で立設状態を呈することを特徴とする、
延長コードハウジングの立設構造。
【請求項２】
前記延長コードのハウジングの前記第１の表面上には、凹部が形成され、前記凹部には、前記第２の表面が隣接し、前記凹部の凹部長さ範囲には、前記電源プラグ受けの設置領域が含まれることを特徴とする請求項１に記載の延長コードハウジングの立設構造。
【請求項３】
前記延長コードのハウジングの表面から遠い前記支持フレームの前記支持板上には、パターン層、時計及びメモ用紙のうちの少なくとも何れか１つが設けられることを特徴とする請求項１に記載の延長コードハウジングの立設構造。
【考案の詳細な説明】
【技術分野】
【０００１】
本考案は、延長コードハウジングの立設構造に関し、特に、電源プラグ受けと、電源プラグ受けに挿入された乱雑な電気製品の電源ケーブルとを隠し、見た目をきれいにする延長コードハウジングの立設構造に関する。
【背景技術】
【０００２】
一般に建物の壁面上の電源プラグ受けは２口又は３口しかなく、自宅、事務所、店舗などで使用する電気製品は２種類又は３種類以上あることが多いため、使用者は２種類又は３種類以上の電気製品を使用することはできなかった。さらに電気製品の電源ケーブルの長さには限界があり、使用する際の電気製品の設置位置も制限され、使用者のニーズを満たすことはできなかった。
【０００３】
上述したような問題点を改善するために、従来複数口の電源プラグ受けを有する延長コードが開発された。延長コードはより多くの電気製品の電源コードを挿入することができるが、延長コードハウジング箇所の電線が乱雑となり見た目が良くなくなり、特に、電源コードが卓上に設置される場合、卓上が乱れる虞があった。
【０００４】
そのため、本考案者は従来の延長コードを使用する際に生じる欠点に鑑み、本考案を開発した。
【考案の概要】
【考案が解決しようとする課題】
【０００５】
本考案の目的は、延長コードのハウジングを横方向で立設し、延長コードのハウジング上の電源プラグ受けと、電源プラグ受けの電気製品の電源コードとが、延長コードのハウジングの裏側に位置して隠された状態を呈し、卓上が整えられて見た目が良い延長コードハウジングの立設構造を提供することにある。
【課題を解決するための手段】
【０００６】
上記課題を解決するために、本考案の第１の形態によれば、延長コードのハウジング及び支持フレームを備えた延長コードハウジングの立設構造であって、前記延長コードのハウジングは、互いに表裏の関係にある２つの第１の表面と、互いに表裏の関係にある２つの第２の表面とを有し、前記２つの第１の表面及び前記２つの第２の表面により前記延長コードのハウジングが画成され、一方の前記第２の表面上には、２口以上の電源プラグ受けが設けられ、前記２つの第１の表面に隣り合う他方の前記第２の表面の縁部には、周辺に沿って嵌入溝が形成され、前記支持フレームは、底板と、前記底板の一辺に接続された支持板と、を含み、前記底板は、平面上に平貼りされ、前記支持板は、上方へ延びた立設状態を呈し、前記支持板と前記底板とにより夾角が形成され、前記延長コードのハウジングが取り付けられる前記支持板の一面には、前記嵌入溝に対応する突合せ部が上下に設けられ、前記延長コードのハウジングの２つの前記嵌入溝中には、前記上下に設けられた突合せ部がそれぞれ嵌入され、前記支持フレームに前記延長コードの前記ハウジングが結合され、前記支持フレームにより前記延長コードの前記ハウジングが支持され、前記延長コードのハウジングが有する前記電源プラグ受けの前記一方の第２の表面の背面は、前記支持フレームの前記支持板と背中合わせにされ、横方向で立設状態を呈することを特徴とする延長コードハウジングの立設構造が提供される。
【０００７】
前記延長コードのハウジングの前記第１の表面上には、凹部が形成され、前記凹部には、前記第２の表面が隣接し、前記凹部の凹部長さ範囲には、前記電源プラグ受けの設置領域が含まれることが好ましい。
【０００８】
前記延長コードのハウジングの表面から遠い前記支持フレームの前記支持板上には、パターン層、時計及びメモ用紙のうちの少なくとも何れか１つが設けられることが好ましい。
【考案の効果】
【０００９】
本考案の延長コードハウジングの立設構造は、延長コードのハウジングを横方向で立設し、延長コードのハウジング上の電源プラグ受けと、電源プラグ受けの電気製品の電源コードとが、延長コードのハウジングの裏側に位置して隠された状態を呈し、卓上が整えられて見た目が良い。
【図面の簡単な説明】
【００１０】
【図１】本考案の一実施形態に係る延長コードハウジングの立設構造を示す分解斜視図である。
【図２】本考案の一実施形態に係る延長コードハウジングの立設構造を示す斜視図である。
【図３】本考案の一実施形態に係る延長コードハウジングの立設構造を示す別の角度からの斜視図である。
【図４】本考案の一実施形態に係る延長コードハウジングの立設構造を示す組立断面図である。
【図５】本考案の一実施形態に係る延長コードハウジングの立設構造の支持フレームが支持板の表面上にパターン層が形成された状態を示す斜視図である。
【図６】本考案の一実施形態に係る延長コードハウジングの立設構造の支持フレームが支持板の表面上に時計が設置された状態を示す斜視図である。
【図７】本考案の一実施形態に係る延長コードハウジングの立設構造の支持フレームが支持板の表面上にメモ用紙が設置された状態を示す斜視図である。
【図８】本考案の一実施形態に係る２口の電源プラグ受けを有する延長コードハウジングの立設構造を示す斜視図である。
【図９】本考案の一実施形態に係る６口の電源プラグ受けを有する延長コードハウジングの立設構造を示す斜視図である。
【図１０】本考案の一実施形態に係る８口の電源プラグ受けを有する延長コードハウジングの立設構造を示す斜視図である。
【図１１】本考案の一実施形態に係る電源プラグ受けの数が電源スイッチの２倍である延長コードハウジングを示す斜視図である。
【図１２】本考案の一実施形態に係る延長コードハウジング上に設けたＵＳＢポートを示す斜視図である。
【考案を実施するための形態】
【００１１】
以下、本考案の実施形態について図に基づいて説明する。なお、これによって本考案が限定されるものではない。
【００１２】
図１を参照する。図１は、本考案の一実施形態に係る延長コードハウジングの立設構造を示す分解斜視図である。図１に示すように、本考案の一実施形態に係る延長コードハウジングの立設構造は、少なくとも延長コードのハウジング１及び支持フレーム２から構成されてなる。
【００１３】
延長コードのハウジング１は、互いに表裏の関係にある２つの第１の表面１１，１２と、互いに表裏の関係にある２つの第２の表面１３，１４とを有する。２つの第１の表面１１，１２及び２つの第２の表面１３，１４により延長コードのハウジング１が画成される。一方の第２の表面１３上には、２口以上の電源プラグ受け１５が設けられる。２つの第１の表面１１，１２に隣り合う他方の第２の表面１４の縁部には、周辺に沿って嵌入溝１６，１７が形成される（図４を参照する）。
図１は、４口の電源プラグ受け１５を有する延長コードのハウジング１を示す。図８は、２口の電源プラグ受け１５を有する延長コードのハウジング１を示す。図９は、６口の電源プラグ受け１５を有する延長コードのハウジング１を示す。図１０は、８口の電源プラグ受け１５を有する延長コードのハウジング１を示す。電源プラグ受け１５は２孔又は３孔方式でもよい。
【００１４】
支持フレーム２は、平面上に平貼りされた底板２１と、底板２１の一辺に接続された支持板２２と、を含む。支持板２２は、上方へ延びた立設状態を呈する。支持板２２と底板２１とにより夾角が形成される。延長コードのハウジング１が取り付けられる支持板２２の一面には、嵌入溝１６，１７に対応する突合せ部２３，２４が上下に設けられる。
【００１５】
図２、図３及び図４を参照する。図２、図３及び図４に示すように、組立てる際、延長コードのハウジング１の嵌入溝１６，１７に、支持フレーム２の突合せ部２３，２４を対応させ、延長コードのハウジング１を横方向で支持フレーム２に嵌入し、支持フレーム２の突合せ部２３，２４を延長コードのハウジング１の嵌入溝１６，１７中に嵌着し、延長コードのハウジング１を支持フレーム２上に組立てる際、支持フレーム２の底板２１を介し、例えば卓面などの平面に平貼りすることができる。
延長コードのハウジング１は、平面上に強固に横方向で支えられ、延長コードのハウジング１は、使用者から電源プラグ受け１５を有する第２の表面１３が見えず、使用者に対してきれいな使用空間を提供する。
【００１６】
図１を参照する。図１に示すように、延長コードのハウジング１上に設置した元電源スイッチ１８は、延長コードのハウジング１上の電源プラグ受け１５の電気の通電又は遮断状態を制御するために用いる。本実施形態の元電源スイッチ１８は、第１の表面１１上に配設されている。
【００１７】
延長コードのハウジング１上には、１つ以上の電源スイッチ１９が配設されている。図１、図８〜図１０に示すように、電源スイッチ１９の設置数は電源プラグ受け１５に等しく、各電源スイッチ１９は、各電源プラグ受け１５の電気の通電及び遮断をそれぞれ個別に制御することができる。
【００１８】
図１１を参照する。図１１に示すように、電源プラグ受け１５の数は電源スイッチ１９の設置数の２倍でもよく、電源スイッチ１９により２口の電源プラグ受け１５の電気の通電及び遮断を同時に制御してもよい。
【００１９】
また、電源プラグ受け１５の数を電源スイッチ１９の設置数の３倍にし、電源スイッチ１９により３口の電源プラグ受け１５の電気の通電及び遮断を同時に制御してもよいし、電源プラグ受け１５の数を電源スイッチ１９の設置数の４倍にし、電源スイッチ１９により４口の電源プラグ受け１５の電気の通電及び遮断を同時に制御してもよい。
【００２０】
電源スイッチ１９は、延長コードのハウジング１の第１の表面１１上に設置してもよいし、図１に示すように、延長コードのハウジング１の第１の表面１１と第２の表面１３とが交差する箇所に設置してもよい。
【００２１】
また、図１２に示すように、延長コードのハウジング１の第２の表面１３上にＵＳＢポート１０を設け、電気製品のＵＳＢ端子を挿入し、ＵＳＢポート１０の電源供給の有無を元電源スイッチ１８により制御してもよいし、電源スイッチにより制御してもよい。
【００２２】
図５〜図７を参照する。図５〜図７に示すように、延長コードのハウジング１の表面から遠い支持フレーム２の支持板２２上には、パターン層２５、時計２６及びメモ用紙２７のうちの少なくとも何れか１つが設けられてもよい。
【００２３】
図１を再び参照する。延長コードのハウジング１の第１の表面１２上には、凹部１２１が形成され、凹部１２１には、第２の表面１３が隣接する。凹部１２１の凹部長さ範囲には、電源プラグ受け１５の設置領域が含まれる。
【符号の説明】
【００２４】
１      延長コードのハウジング
２      支持フレーム
１０    ＵＳＢポート
１１    第１の表面
１２    第１の表面
１３    第２の表面
１４    第２の表面
１５    電源プラグ受け
１６    嵌入溝
１７    嵌入溝
１８    元電源スイッチ
１９    電源スイッチ
２１    底板
２２    支持板
２３    突合せ部
２４    突合せ部
２５    パターン層
２６    時計
２７    メモ用紙
１２１  凹部
【図１】
0003206732.tif 000003
【図２】
0003206732.tif 000004
【図３】
0003206732.tif 000005
【図４】
0003206732.tif 000006
【図５】
0003206732.tif 000007
【図６】
0003206732.tif 000008
【図７】
0003206732.tif 000009
【図８】
0003206732.tif 000010
【図９】
0003206732.tif 000011
【図１０】
0003206732.tif 000012
【図１１】
0003206732.tif 000013
【図１２】
0003206732.tif 000014